(57)【要約】      （修正有）【課題】情報インフラの構築又は改修を促進するための新たなスキームを提供する。【解決手段】広告管理システムは、懸賞金バナー９に関するクリック履歴及び閲覧履歴に応じて、通信費（回線工事費及びネットワーク機器のレンタル料を含む）を情報受信者（ユーザ）と情報発信者（広告主など）とに分担させることにより、通信インフラの構築又は改修を促進させる。また、広告管理システムは、特典内容が表示された懸賞金バナー９を採用することにより、広告コンテンツの閲覧をより強く動機付ける。【選択図】図６
2015179360.tif 000002
【特許請求の範囲】
【請求項１】
特典内容が表示されたバナーに関連付けて、このバナーがユーザにより選択操作された場合の特典内容を格納する特典格納部と、
前記バナーがユーザの端末上で選択操作されたことを検知する操作検知部と、
前記バナーに対するユーザの選択操作が前記操作検知部により検知された場合に、前記特典格納部に  このバナーに関連付けて格納されている特典内容に基づいて、このユーザに特典を付与する特典付与部と
を有する広告管理装置。
【請求項２】
前記特典内容は、ネットワークの通信料又はこのネットワークに用いるネットワーク機器の設置費用に対する値引きであり、
前記操作検知部は、前記ネットワークを介して前記ユーザの端末が前記バナーに対する選択操作を検知し、
前記特典付与部は、前記ネットワークを介して前記バナーに対して選択操作がなされたことが検知された場合に、このネットワークの通信料又はこのネットワークに用いるネットワーク機器の設置費用に対する値引き額を決定する
請求項１に記載の広告管理装置。
【請求項３】
前記特典格納部は、少なくとも、前記バナーが公的情報発信であるか商業広告であるかに関連付けて、特典内容を格納し、
前記特典付与部は、ユーザにより選択されたバナーが公的情報発信である場合に、選択されたバナーが商業広告である場合よりも高い値引きを特典として付与する
請求項２に広告管理装置。
【請求項４】
前記特典付与部は、抽選又は既定の確率に従って、格納されている特典内容をユーザに付与する
請求項３に記載の広告管理装置。
【請求項５】
ネットワークの通信料及びこのネットワークに用いるネットワーク機器の設置費用の合計を上限として、前記特典付与部により付与される値引き額の合計を管理する上限管理部と、
前記特典付与部により決定された値引き額に応じて、ネットワークの通信料及びこのネットワークに用いるネットワーク機器の設置費用の値引きを指示する指示部と
をさらに有する請求項４に記載の広告管理装置。
【請求項６】
特典内容が表示されたバナーが含まれたウェブページを提供するウェブサーバと、
前記バナーに対する操作に応じて特典を付与する広告管理装置と
を含み、
前記広告管理装置は、
特典内容が表示されたバナーに関連付けて、このバナーがユーザにより選択操作された場合の特典内容を格納する特典格納部と、
前記ウェブサーバにより提供されたウェブページ上で、前記バナーがユーザの端末により選択操作されたことを検知する操作検知部と、
前記バナーに対するユーザの選択操作が前記操作検知部により検知された場合に、前記特典格納部にこのバナーに関連付けて格納されている特典内容に基づいて、このユーザに特典を付与する特典付与部と
を有する
広告管理システム。
【請求項７】
特典内容又は特典の有無が表示されたバナーをウェブページに表示させるステップと、
表示された前記バナーに対する、ユーザの選択操作を検知するステップと、
前記バナーに対するユーザの選択操作が検知された場合に、このバナーに関連付けられた特典をユーザに付与するステップと
を有する広告管理方法。
【請求項８】
特典内容又は特典の有無が表示されたバナーをウェブページに表示させるステップと、
表示された前記バナーに対する、ユーザの選択操作を検知するステップと、
前記バナーに対するユーザの選択操作が検知された場合に、このバナーに関連付けられた特典をユーザに付与するステップと
をコンピュータに実行させるプログラム。
【発明の詳細な説明】
【技術分野】
【０００１】
本発明は、広告管理装置、広告管理システム、広告管理方法、及びプログラムに関する。
【背景技術】
【０００２】
例えば、特許文献１には、バナー広告を用いたアフィリエイトに関して、クリック数に応じて報酬を支払うのではなく、抽選を実行することにより、クリックの信憑性を向上させる広告システムが開示されている。
【０００３】
【先行技術文献】
【特許文献】
【０００４】
【特許文献１】特開２００８−２７２６５
【発明の概要】
【発明が解決しようとする課題】
【０００５】
情報インフラの構築又は改修を促進するための新たなスキームを提供することを目的とする。
【課題を解決するための手段】
【０００６】
本発明に係る広告管理装置は、特典内容が表示されたバナーに関連付けて、このバナーがユーザにより選択操作された場合の特典内容を格納する特典格納部と、前記バナーがユーザの端末上で選択操作されたことを検知する操作検知部と、前記バナーに対するユーザの選択操作が前記操作検知部により検知された場合に、前記特典格納部にこのバナーに関連付けて格納されている特典内容に基づいて、このユーザに特典を付与する特典付与部とを有する。
【０００７】
好適には、前記特典内容は、ネットワークの通信料又はこのネットワークに用いるネットワーク機器の設置費用に対する値引きであり、前記操作検知部は、前記ネットワークを介して前記ユーザの端末が前記バナーに対する選択操作を検知し、前記特典付与部は、前記ネットワークを介して前記バナーに対して選択操作がなされたことが検知された場合に、このネットワークの通信料又はこのネットワークに用いるネットワーク機器の設置費用に対する値引き額を決定する。
【０００８】
好適には、前記特典格納部は、少なくとも、前記バナーが公的情報発信であるか商業広告であるかに関連付けて、特典内容を格納し、前記特典付与部は、ユーザにより選択されたバナーが公的情報発信である場合に、選択されたバナーが商業広告である場合よりも高い値引きを特典として付与する。
【０００９】
好適には、前記特典付与部は、抽選又は既定の確率に従って、格納されている特典内容をユーザに付与する。
【００１０】
好適には、ネットワークの通信料及びこのネットワークに用いるネットワーク機器の設置費用の合計を上限として、前記特典付与部により付与される値引き額の合計を管理する上限管理部と、前記特典付与部により決定された値引き額に応じて、ネットワークの通信料及びこのネットワークに用いるネットワーク機器の設置費用の値引きを指示する指示部とをさらに有する。
【００１１】
また、本発明に係る広告管理システムは、特典内容が表示されたバナーが含まれたウェブページを提供するウェブサーバと、前記バナーに対する操作に応じて特典を付与する広告管理装置とを含み、前記広告管理装置は、特典内容が表示されたバナーに関連付けて、このバナーがユーザにより選択操作された場合の特典内容を格納する特典格納部と、前記ウェブサーバにより提供されたウェブページ上で、前記バナーがユーザの端末により選択操作されたことを検知する操作検知部と、前記バナーに対するユーザの選択操作が前記操作検知部により検知された場合に、前記特典格納部にこのバナーに関連付けて格納されている特典内容に基づいて、このユーザに特典を付与する特典付与部とを有する。
【００１２】
また、本発明に係る広告管理方法は、特典内容が表示されたバナーをウェブページに表示させるステップと、表示された前記バナーに対する、ユーザの選択操作を検知するステップと、前記バナーに対するユーザの選択操作が検知された場合に、このバナーに関連付けられた特典をユーザに付与するステップとを有する。
【００１３】
また、本発明に係るプログラムは、特典内容が表示されたバナーをウェブページに表示させるステップと、表示された前記バナーに対する、ユーザの選択操作を検知するステップと、前記バナーに対するユーザの選択操作が検知された場合に、このバナーに関連付けられた特典をユーザに付与するステップとをコンピュータに実行させる。
【発明の効果】
【００１４】
情報インフラの構築又は改修を促進するための新たなスキームを提供できる。
【図面の簡単な説明】
【００１５】
【図１】広告管理システム１のハードウェア構成を例示する図である。
【図２】広告管理サーバ２のハードウェア構成を例示する図である。
【図３】広告管理サーバ２の機能構成を例示する図である。
【図４】（Ａ）は、特典情報ＤＢ２５０に格納される特典テーブルを例示し、（Ｂ）は、特典情報ＤＢ２５０に格納される付与条件テーブルを例示する図である。
【図５】（Ａ）は、ユーザ情報ＤＢ２５２に格納される値引きテーブルを例示し、（Ｂ）は、ユーザ情報ＤＢ２５２に格納される閲覧履歴テーブルを例示する図である。
【図６】懸賞金バナー９を例示する図である。
【図７】広告管理サーバ２によるクリック特典付与処理（Ｓ１０）のフローチャートである。
【図８】広告管理サーバ２による閲覧特典付与処理（Ｓ２０）のフローチャートである。
【図９】広告管理システム１における決済処理（Ｓ３０）のフローチャートである。
【発明を実施するための形態】
【００１６】
以下、本発明の実施形態を、図面を参照して説明する。
図１は、広告管理システム１のハードウェア構成を例示する図である。
図１に例示するように、広告管理システム１は、広告管理サーバ２と、通信費管理サーバ４と、Ｗｅｂサーバ７とを含む。
広告管理サーバ２は、サーバ装置であり、インターネットなどのネットワークを介して、通信費管理サーバ４及びＷｅｂサーバ７と接続している。
通信費管理サーバ４は、サーバ装置であり、通信インフラに要する費用（例えば、ネットワークの回線利用料、回線工事費用、ネットワーク機器の設置費用、又は、ネットワーク機器のレンタル料など）を管理し、ユーザに請求を行う。
Ｗｅｂサーバ７は、サーバ装置であり、広告等が含まれたウェブページをユーザに提供する。本例のＷｅｂサーバ７は、ユーザの閲覧端末３からインターネットを介してページの要求を受信すると、受信した要求に応じて、ウェブページを構成するＨＴＭＬファイル又はＢＭＬファイルを閲覧端末３に返信する。なお、閲覧端末３は、直接インターネットに接続されたコンピュータ端末３Ａであってもよいし、セットトップボックスを介してインターネットに接続されたテレビ３Ｂであってもよい。
【００１７】
本例の広告管理システム１では、広告管理サーバ２が、Ｗｅｂサーバ７による情報配信を監視し、情報配信の成否及び内容に応じて、通信インフラに要する費用を情報の発信者又は情報の受信者に振り分ける。すなわち、本例の広告管理システム１は、通信インフラに要する費用を、情報の受信者のみに負担させるのではなく、情報の発信者にも負担させることにより、情報インフラの構築又は改修を促すものである。
【００１８】
図２は、広告管理サーバ２のハードウェア構成を例示する図である。
図２に例示するように、広告管理サーバ２は、ＣＰＵ２００、メモリ２０２、ＨＤＤ２０４、ネットワークインタフェース２０６（ネットワークＩＦ２０６）、表示装置２０８、及び入力装置２１０を有し、これらの構成はバス２１２を介して互いに接続している。
ＣＰＵ２００は、例えば、中央演算装置である。
メモリ２０２は、例えば、揮発性メモリであり、主記憶装置として機能する。
ＨＤＤ２０４は、例えば、ハードディスクドライブ装置であり、不揮発性の記録装置としてコンピュータプログラムやその他のデータファイルを格納する。
ネットワークＩＦ２０６は、有線又は無線で通信するためのインタフェースであり、インターネットを介した携帯端末３との通信を実現する。
表示装置２０８は、例えば、液晶ディスプレイである。
入力装置２１０は、例えば、キーボード及びマウスである。
【００１９】
図３は、広告管理サーバ２の機能構成を例示する図である。
図３に例示するように、本例の広告管理サーバ２には、広告管理プログラム２０がインストールされると共に、特典情報データベース２５０（特典情報ＤＢ２５０）及びユーザ情報データベース２５２（ユーザ情報ＤＢ２５２）が構成される。
広告管理プログラム２０は、広告登録部２００、操作検知部２０２、特典付与部２０４、抽選部２０６、上限管理部２０８、及び相殺指示部２１０を有する。
なお、広告管理プログラム２０の一部又は全部は、ＡＳＩＣなどのハードウェアにより実現されてもよい。また、広告管理プログラム２０は、例えば、ＣＤ−ＲＯＭなどの記録媒体に格納されており、この記録媒体を介してインストールされる。
【００２０】
広告管理プログラム２０において、広告登録部２００は、発信する情報と、この情報にリンクされたバナーを識別するための情報と、この情報が選択又は閲覧された場合に付与される特典内容とを互いに関連付けて特典情報ＤＢ２５０に登録する。本例の広告登録部２００は、広告の識別情報に関連付けて、広告のホームページを特定するための情報と、広告内容が公広告であるか商業広告であるかを示す情報と、この広告ホームページにリンクされたバナーの識別情報と、このバナーがクリックされた場合に付与される特典内容（クリック特典）と、このバナーのリンク先が閲覧された場合に付与される特典内容（閲覧特典）とを互いに関連付けて特典情報ＤＢ２５０の特典テーブル（図４（Ａ）に例示）に登録する。
ここで、公広告とは、公的に発信される情報の一例であり、国、地方公共団体、その他の公的団体、あるいは、地域コミュニティ（町内会、ＰＴＡなど）が発信する情報である。また、商業広告とは、自己の商業活動を促進するための広告である。本例では、公広告に関連付けられたクリック特典及び閲覧特典は、商業広告に関連付けられたクリック特典及び閲覧特典よりもそれぞれ高い値引きとして、特典テーブルに登録されている。
【００２１】
また、広告にリンクされたバナーは、図６に例示するように、特典が表示されたバナー９である。公広告のバナー９は、例えば、図６（Ａ）に例示するように、公的メッセージと、特典内容を示す懸賞金表示９０２とがバナー本体９００に表示されたものである。バナー本体９００はクリッカブルエリアであり、クリック操作が行われると、リンク先への遷移が実行される。また、商業広告のバナー９は、例えば、図６（Ｂ）に例示するように、商業広告の内容と、特典内容を示す懸賞金表示９０２とがバナー本体９００に表示されたものである。以下の説明では、特典が表示されたバナーを懸賞金バナーと呼ぶことがある。これらの懸賞金バナー９は、Ｗｅｂサーバ７により提供されるホームページなどに貼り付けられる。
【００２２】
操作検知部２０２は、バナーがユーザの端末上で選択操作されたことを検知する。本例の操作検知部２０２は、ユーザの閲覧端末３によって、いずれかの懸賞金バナー９がクリックされた場合に、クリックしたユーザの識別情報（例えば、閲覧端末のＩＤ、ＭＡＣアドレス、又はＩＰアドレスなど）と、クリックされたバナーの識別情報とを取得する。さらに、本例の操作検知部２０２は、懸賞金バナー９のリンク先の広告コンテンツが閲覧されたことを示す操作（例えば、広告動画を再生する操作、ホームページをスクロールさせる操作、又は、ホームページを既定のページまで順次遷移させる操作など）を検知する。
【００２３】
特典付与部２０４は、懸賞金バナー９に対するユーザの選択操作が操作検知部２０２により検知された場合に、特典情報ＤＢ２５０にこのバナーに関連付けて格納されている特典内容に基づいて、このユーザに特典を付与し、付与された特典に対応する情報発信者の負担を決定する。例えば、特典付与部２０４は、ネットワークを介して懸賞金バナー９に対して選択操作がなされたことが検知された場合に、このネットワークの通信料又はこのネットワークに用いるネットワーク機器の設置費用に対する値引き額と、この値引き額に相当する情報発信者（バナーのリンク先ページの所有者）の負担金額とを決定する。
本例の特典付与部２０４は、懸賞金バナー９に対するユーザのクリック操作が操作検知部２０２により検知された場合に、特典情報ＤＢ２５０の特典テーブル（図４（Ａ）を参照して後述）において、この懸賞金バナー９に関連付けられているクリック特典をユーザに付与し、さらに、懸賞金バナー９のリンク先の広告コンテンツに対する閲覧操作が検知された場合に、この懸賞金バナー９に関連付けられている閲覧特典をユーザに付与する。
【００２４】
抽選部２０６は、抽選又は既定の確率に従って特典を付与するように、特典付与部２０４に指示する。本例の抽選部２０６は、懸賞金バナー９が商業広告に関連付けられている場合に、付与条件テーブル（図４（Ｂ））を参照して、この商業広告に関連付けられた条件（付与の確率）に従って、抽選を行い、抽選結果を特典付与部２０４に通知する。
【００２５】
上限管理部２０８は、ネットワークの通信料及びこのネットワークに用いるネットワーク機器の設置費用の合計を上限として、特典付与部２０４により付与される値引き額の合計を管理する。本例の上限管理部２０８は、ユーザ毎に登録された通信費の月額を月次上限値として、ユーザの識別情報及び通信費の締日に関連付けて値引きテーブル（図５（Ａ））に登録し、特典付与部２０４により付与されるユーザの値引き額を累積して値引きテーブルを更新する。そして、本例の上限管理部２０８は、ユーザの値引き額の累積値（月次累積値）がこのユーザの月次上限値に達した場合に、ユーザにその旨を通知し、月次上限値での相殺を相殺指示部２１０に指示する。
【００２６】
相殺指示部２１０は、特典付与部２０４により決定された各ユーザの値引き額（特典）に応じて、ネットワークの通信費を相殺するよう通信費管理サーバ４に指示する。本例の相殺指示部２１０は、図５（Ａ）に例示する値引きテーブルを参照して、締日が到来すると、この時までの月次累積値で、ネットワーク通信費を相殺するよう指示する。
【００２７】
図４（Ａ）は、特典情報ＤＢ２５０に格納される特典テーブルを例示し、図４（Ｂ）は、特典情報ＤＢ２５０に格納される付与条件テーブルを例示する図である。
図４（Ａ）に例示するように、特典情報ＤＢ２５０は、バナーの識別情報（図中の「広告Ａ」など。リンク先のＵＲＬでもよい）と、このバナーのリンク先の広告内容が公広告であるか商業広告であるかを示す情報と、このバナーがクリックされた場合に付与されるクリック特典と、このバナーのリンク先が閲覧された場合に付与される閲覧特典とを互いに関連付けて特典テーブルとして格納する。特典テーブルに登録されるバナーの識別情報は、広告の識別情報であり、かつ、広告のホームページを特定する識別情報となりうる。
【００２８】
図４（Ｂ）に例示するように、特典情報ＤＢ２５０は、特典テーブルに登録されている特典内容（クリック特典又は閲覧特典）と、これらの特典が付与される条件（「常時」又は「３０％」など）とを互いに関連付けて付与条件テーブルとして格納する。特典が付与される条件とは、抽選の有無、抽選を行う場合の当選確率などを含む。本例の「常時」は、クリックされた場合に、抽選を行わずに特典が付与されることを意味する。本例の「３０％」は、クリックされた場合に、当選確率３０％の抽選を実施し、当選した場合にのみ、特典を付与することを意味する。
【００２９】
図５（Ａ）は、ユーザ情報ＤＢ２５２に格納される値引きテーブルを例示し、図５（Ｂ）は、ユーザ情報ＤＢ２５２に格納される閲覧履歴テーブルを例示する図である。
図５（Ａ）に例示するように、ユーザ情報ＤＢ２５２は、ユーザの識別情報（ユーザの閲覧端末のＩＤ、ＭＡＣアドレス又はＩＰアドレスなど）と、このユーザに付与された値引き額の累積値（月次累積値）と、このユーザに設定された月次上限値（ユーザの通信費の月額）と、このユーザの通信費の締日とを互いに関連付けて値引きテーブルとして格納する。本例では、月毎に通信費が請求される場合を具体例としており、この値引きテーブルは、締日毎に初期化されるが、これに限定されるものではない。
【００３０】
図５（Ｂ）に例示するように、ユーザ情報ＤＢ２５２は、ユーザの識別情報と、このユーザがクリックした懸賞金バナーの識別情報（「クリック済み」）と、このユーザが懸賞金バナーを経由して閲覧した広告コンテンツの識別情報（「閲覧済み」）と、クリック又は閲覧した日時（「操作日時」）とを互いに関連付けて閲覧履歴テーブルとして格納する。クリックの履歴又は閲覧の履歴が閲覧履歴テーブルに登録されることにより、特典の二重付与が回避される。すなわち、本例では、同一の懸賞金バナーが同一ユーザにクリックされても、二度目以降のクリック操作に対して特典は付与されない。閲覧についても同様である。
【００３１】
次に、広告管理システム１の動作を説明する。
図７は、広告管理サーバ２によるクリック特典付与処理（Ｓ１０）のフローチャートである。
図７に例示するように、ステップ１００（Ｓ１００）において、広告管理サーバ２の操作検知部２０２は、図６に例示する懸賞金バナー９に対するユーザのクリック操作を検知するまで待機し（Ｓ１００：Ｎｏ）、懸賞金バナー９に対するクリック操作を検知すると、Ｓ１０５の処理に移行する。
【００３２】
ステップ１０５（Ｓ１０５）において、操作検知部２０２は、クリックしたユーザの識別情報と、クリックされた懸賞金バナー９の識別情報を特典付与部２０４及び上限管理部２０８に出力する。
特典付与部２０４は、特典テーブルを参照して、操作検知部２０２から入力された懸賞金バナーの識別情報に基づいて、懸賞金バナーに関連付けられた情報を特典情報ＤＢ２５０から読み出す。
上限管理部２０８は、操作検知部２０２から入力されたユーザの識別情報に基づいて、ユーザ情報ＤＢ２５２から、ユーザの月次累積値及び月次上限値と、操作履歴とを読み出す。
【００３３】
ステップ１１０（Ｓ１１０）において、特典付与部２０４は、上限管理部２０８により読み出された操作履歴（クリック履歴）に基づいて、ユーザによる懸賞金バナーのクリック履歴が存在するか否かを判断する。
広告管理プログラム２０は、ユーザによる懸賞金バナーのクリック履歴が存在する場合（すなわち、この懸賞金バナーのクリックが２回目以降である場合）、ユーザによる懸賞金バナーのクリック履歴が存在しない場合（すなわち、この懸賞金バナーのクリックが初めてである場合）、Ｓ１１５の処理に移行する。
【００３４】
ステップ１１５（Ｓ１１５）において、特典付与部２０４は、特典テーブルから読み出した情報に基づいて、クリックした懸賞金バナーが公広告にリンクしたものであるか商業広告にリンクしたものであるかを判断する。
広告管理プログラム２０は、クリックした懸賞金バナーが公広告にリンクしたものである場合に、Ｓ１２０の処理に移行し、クリックした懸賞金バナーが商業広告にリンクしたものである場合に、Ｓ１２５の処理に移行する。
【００３５】
ステップ１２０（Ｓ１２０）において、特典付与部２０４は、特典テーブルから読み出した情報（特典内容）に従って、クリック特典をユーザに付与する。具体的には、特典付与部２０４は、クリック特典に対応する値引き額を、このユーザの月次累積値に加算するよう上限管理部２０８に指示する。
【００３６】
ステップ１２５（Ｓ１２５）において、特典付与部２０４は、図４（Ｂ）の付与条件テーブルを参照して、特典付与の条件を特定する。
広告管理プログラム２０は、特典付与の条件として抽選が必要である場合に、Ｓ１３０の処理に移行し、特典付与の条件として抽選が不要である場合に、Ｓ１３５の処理に移行する。
【００３７】
ステップ１３０（Ｓ１３０）において、抽選部２０６は、付与条件テーブルに登録された当選確率に従って、抽選を行い、抽選結果を特典付与部２０４に通知する。
特典付与部２０４は、抽選部２０６による抽選結果に従って、クリック特典をユーザに付与する。本例のように、抽選を導入することによって、期待値という観点で、公広告と商業広告とで特典内容に差を設けてもよい。
【００３８】
ステップ１３５（Ｓ１３５）において、特典付与部２０４は、特典テーブルから読み出した情報（特典内容）に従って、クリック特典をユーザに付与する。
【００３９】
ステップ１４０（Ｓ１４０）において、上限管理部２０８は、特典付与部２０４により付与された特典（値引き額）に基づいて、値引きテーブルの月次累積値を更新する。
上限管理部２０８は、更新された月次累積値が月次上限値を超えているか否かを判断する。
広告管理プログラム２０は、月次累積値が月次上限値を超えている場合に、Ｓ１４５の処理に移行し、月次累積値が月次上限値を超えていない場合に、Ｓ１４５の処理に移行する。
【００４０】
ステップ１４５（Ｓ１４５）において、上限管理部２０８は、ユーザの閲覧端末３に対して、累積した値引き額が上限を超えた旨を通知し、締日までの新たな特典付与を特典付与部２０４に禁止する。
ステップ１５０（Ｓ１５０）において、操作検知部２０２は、クリック操作したユーザの識別情報と、クリックされた懸賞金バナーの識別情報とに基づいて、クリックされた懸賞金バナーのクリック履歴（ユーザの識別情報、バナーの識別情報、及び操作日時）を閲覧履歴テーブルに登録する。
【００４１】
このように、広告管理サーバ２は、懸賞金バナー９に表示された通りのクリック特典を、この懸賞金バナー９をクリックしたユーザに付与する。
【００４２】
図８は、広告管理サーバ２による閲覧特典付与処理（Ｓ２０）のフローチャートである。
図８に例示するように、ステップ２００（Ｓ２００）において、広告管理サーバ２の操作検知部２０２は、図６に例示する懸賞金バナー９のリンク先の広告コンテンツを閲覧するための閲覧操作を検知するまで待機し（Ｓ２００：Ｎｏ）、懸賞金バナー９を経由した広告コンテンツの閲覧操作を検知すると、Ｓ２０５の処理に移行する。閲覧操作は、例えば、広告動画を再生させる操作、又は、広告の最終ページに遷移させる操作などである。
【００４３】
ステップ２０５（Ｓ２０５）において、操作検知部２０２は、閲覧操作したユーザの識別情報と、経由した懸賞金バナー９の識別情報を特典付与部２０４及び上限管理部２０８に出力する。
特典付与部２０４は、特典テーブルを参照して、操作検知部２０２から入力された懸賞金バナーの識別情報に基づいて、懸賞金バナーに関連付けられた情報を特典情報ＤＢ２５０から読み出す。
上限管理部２０８は、操作検知部２０２から入力されたユーザの識別情報に基づいて、ユーザ情報ＤＢ２５２から、ユーザの月次累積値及び月次上限値と、操作履歴とを読み出す。
【００４４】
ステップ２１０（Ｓ２１０）において、特典付与部２０４は、上限管理部２０８により読み出された操作履歴（閲覧履歴）に基づいて、ユーザによる閲覧履歴が存在するか否かを判断する。
広告管理プログラム２０は、ユーザによる閲覧履歴が存在する場合（すなわち、この懸賞金バナーを経由した広告コンテンツの閲覧が２回目以降である場合）、ユーザによる閲覧履歴が存在しない場合（すなわち、この懸賞金バナーを経由した広告コンテンツの閲覧が１回目である場合）、Ｓ２１５の処理に移行する。
【００４５】
ステップ２１５（Ｓ２１５）において、特典付与部２０４は、特典テーブルから読み出した情報に基づいて、閲覧操作された広告コンテンツが公広告であるか商業広告であるかを判断する。
広告管理プログラム２０は、閲覧操作された広告コンテンツが公広告である場合に、Ｓ２２０の処理に移行し、閲覧操作された広告コンテンツが商業広告である場合に、Ｓ２２５の処理に移行する。
【００４６】
ステップ２２０（Ｓ２２０）において、特典付与部２０４は、特典テーブルから読み出した情報（特典内容）に従って、閲覧特典をユーザに付与する。具体的には、特典付与部２０４は、閲覧特典に対応する値引き額を、このユーザの月次累積値に加算するよう上限管理部２０８に指示する。
【００４７】
ステップ２２５（Ｓ２２５）において、特典付与部２０４は、図４（Ｂ）の付与条件テーブルを参照して、特典付与の条件を特定する。
広告管理プログラム２０は、特典付与の条件として抽選が必要である場合に、Ｓ２３０の処理に移行し、特典付与の条件として抽選が不要である場合に、Ｓ２３５の処理に移行する。
【００４８】
ステップ２３０（Ｓ２３０）において、抽選部２０６は、付与条件テーブルに登録された当選確率に従って、抽選を行い、抽選結果を特典付与部２０４に通知する。
特典付与部２０４は、抽選部２０６による抽選結果に従って、閲覧特典をユーザに付与する。
【００４９】
ステップ２３５（Ｓ２３５）において、特典付与部２０４は、特典テーブルから読み出した情報（特典内容）に従って、閲覧特典をユーザに付与する。
【００５０】
ステップ２４０（Ｓ２４０）において、上限管理部２０８は、特典付与部２０４により付与された特典（値引き額）に基づいて、値引きテーブルの月次累積値を更新する。
上限管理部２０８は、更新された月次累積値が月次上限値を超えているか否かを判断する。
広告管理プログラム２０は、月次累積値が月次上限値を超えている場合に、Ｓ２４５の処理に移行し、月次累積値が月次上限値を超えていない場合に、Ｓ２４５の処理に移行する。
【００５１】
ステップ２４５（Ｓ２４５）において、上限管理部２０８は、ユーザの閲覧端末３に対して、累積した値引き額が上限を超えた旨を通知し、締日までの新たな特典付与を特典付与部２０４に禁止する。
ステップ２５０（Ｓ２５０）において、操作検知部２０２は、クリック操作したユーザの識別情報と、クリックされた懸賞金バナーの識別情報とに基づいて、クリックされた懸賞金バナーのクリック履歴（ユーザの識別情報、バナーの識別情報、及び操作日時）を閲覧履歴テーブルに登録する。
【００５２】
このように、広告管理サーバ２は、懸賞金バナー９を経由した広告コンテンツが閲覧された場合に、この懸賞金バナーに表示された通りの閲覧特典をユーザに付与する。
【００５３】
図９は、広告管理システム１における決済処理（Ｓ３０）のフローチャートである。
図９に例示するように、ステップ３００（Ｓ３００）において、広告管理サーバ２の相殺指示部２１０は、図５（Ａ）に例示する値引きテーブルを参照して、通信費の締日が到来したユーザを特定する。
広告管理プログラム２０は、いずれかのユーザについて締日が到来するまで待機し（Ｓ３００：Ｎｏ）、いずれかのユーザについて締日が到来すると、Ｓ３０５の処理に移行する。
【００５４】
ステップ３０５（Ｓ３０５）において、相殺指示部２１０は、締日が到来したユーザの月次累積値を、図５（Ａ）の値引きテーブルから読み出す。
ステップ３１０（Ｓ３１０）において、相殺指示部２１０は、通信費管理サーバ４から、締日が到来したユーザの通信費を取得し、取得された通信費から、読み出された月次累積値を減算して、相殺後の請求金額を算出する。
【００５５】
ステップ３１５（Ｓ３１５）において、相殺指示部２１０は、相殺後の請求金額を、月次累積値（すなわち、相殺相当額）と共に通信費管理サーバ４に通知して、相殺後の請求金額を請求するよう指示する。また、相殺指示部２１０は、図５（Ｂ）の閲覧履歴テーブルを参照して、相殺したユーザの閲覧履歴（クリック履歴及び閲覧履歴）を通信費管理サーバ４に通知して、情報発信者に対して値引き額の分担金を請求するよう指示する。
ステップ３２０（Ｓ３２０）において、相殺指示部２１０は、通信費管理サーバ４から、相殺後の請求金額の受信完了通知を受けると、図５（Ａ）の値引きテーブルにおける月次累積値を０に更新する。
【００５６】
このように、広告管理システム１は、懸賞金バナー９に関するクリック履歴及び閲覧履歴に応じて、通信費を情報受信者（ユーザ）と情報発信者（広告主など）とに分担させる。
【００５７】
以上説明したように、本実施形態の広告管理システム１は、懸賞金バナー９に関するクリック履歴及び閲覧履歴に応じて、通信費（回線工事費及びネットワーク機器のレンタル料を含む）を情報受信者（ユーザ）と情報発信者（広告主など）とに分担させることにより、通信インフラの構築又は改修を促進させることができる。
また、広告管理システム１は、特典内容が表示された懸賞金バナー９を採用することにより、広告コンテンツの閲覧をより強く動機付けることができると共に、通信費が情報の発信者にも負担されていることを明示して、通信インフラの公共性が広く認識されることが期待できる。
【００５８】
なお、上記実施形態では、広告を管理する広告管理サーバ２と、通信事業者などが管理する通信費管理サーバ４との間で直接決済情報を交換して相殺する場合を具体例として説明したが、これに限定されるものではなく、金融機関のシステムを介して、電子決済を行ってもよい。また、上記実施形態では、懸賞金バナー９に特典内容を表示させる形態を説明したが、懸賞金バナー９に特典の有無のみを表示させてもよい。
【符号の説明】
【００５９】
１…広告管理システム
２…広告管理サーバ
３…携帯端末
４…通信費管理サーバ
２０…広告管理プログラム
９…懸賞金バナー
【図１】
2015179360.tif 000003
【図２】
2015179360.tif 000004
【図３】
2015179360.tif 000005
【図４】
2015179360.tif 000006
【図５】
2015179360.tif 000007
【図６】
2015179360.tif 000008
【図７】
2015179360.tif 000009
【図８】
2015179360.tif 000010
【図９】
2015179360.tif 000011